(57)【要約】【課題】被記録媒体の搬送精度の低下を抑制する。【解決手段】被記録媒体Ｐを搬送する搬送部９と、搬送部９よりも被記録媒体Ｐの搬送方向Ａにおいて下流側に設けられ、被記録媒体Ｐに記録可能な記録部１２と、を備え、搬送部９は、駆動ローラー５と、駆動ローラー５に向けて気体を送風可能であって搬送方向Ａに複数並べられる送風部１３ａ、１３ｂ及び１３ｃと、を有することを特徴とする記録装置１。このような構成の記録装置１によって、被記録媒体Ｐの搬送精度の低下を抑制することが可能になる。【選択図】図１
2015196583.tif 000002
【特許請求の範囲】
【請求項１】
被記録媒体を搬送する搬送部と、
前記搬送部よりも前記被記録媒体の搬送方向において下流側に設けられ、前記被記録媒体に記録可能な記録部と、を備え、
前記搬送部は、駆動ローラーと、前記駆動ローラーに向けて気体を送風可能であって前記搬送方向に複数並べられる送風部と、を有することを特徴とする記録装置。
【請求項２】
請求項１に記載の記録装置において、
前記送風部は、前記駆動ローラーのローラー面に対して垂直方向に前記気体を送風可能であることを特徴とする記録装置。
【請求項３】
請求項１又は２に記載の記録装置において、
前記送風部は、前記駆動ローラーに対して接近する方向及び離間する方向に移動可能であることを特徴とする記録装置。
【請求項４】
請求項３に記載の記録装置において、
前記送風部は、前記気体の送風方向を調整可能であることを特徴とする記録装置。
【請求項５】
請求項１から４のいずれか１項に記載の記録装置において、
前記搬送部よりも前記搬送方向において下流側に設けられ、前記被記録媒体を第１支持面で支持する第１媒体支持部を備え、
前記駆動ローラーは、
前記被記録媒体の搬送経路において前記第１媒体支持部側及び前記第１媒体支持部と対向する側のうちの前記第１媒体支持部側に設けられ、
前記駆動ローラーのローラー面が前記第１支持面の上流側端部と面一である、又は、前記ローラー面の少なくとも一部が前記第１支持面の上流側端部に対して突出していることを特徴とする記録装置。
【請求項６】
請求項１から５のいずれか１項に記載の記録装置において、
前記搬送部よりも前記搬送方向において上流側に設けられ、前記被記録媒体を加熱する加熱部を備えることを特徴とする記録装置。
【請求項７】
請求項６に記載の記録装置において、
前記被記録媒体の搬送経路における前記加熱部による加熱領域において、前記被記録媒体を第２支持面で支持する第２媒体支持部を備え、
前記駆動ローラーは、
前記被記録媒体の搬送経路において前記第２媒体支持部側及び前記第２媒体支持部と対向する側のうちの前記第２媒体支持部側に設けられ、
前記駆動ローラーのローラー面が前記第２支持面の下流側端部と面一である、又は、前記ローラー面の少なくとも一部が前記第２支持面の下流側端部に対して突出していることを特徴とする記録装置。
【請求項８】
請求項１から７のいずれか１項に記載の記録装置において、
前記搬送部から搬送される前記搬送方向は、前記搬送部に向かって搬送される前記搬送方向に対して、前記駆動ローラーを起点に該駆動ローラーのローラー面に沿って変えられ、
前記送風部は、前記搬送方向が変えられる位置に設けられることを特徴とする記録装置。
【請求項９】
請求項１から８のいずれか１項に記載の記録装置において、
前記搬送部は、前記送風部の風速を変更可能であることを特徴とする記録装置。
【発明の詳細な説明】
【技術分野】
【０００１】
本発明は、記録装置に関する。
【背景技術】
【０００２】
従来から、被記録媒体を搬送し、搬送される被記録媒体に記録する記録装置が使用されている。このような記録装置のうち、被記録媒体の搬送機構として、被記録媒体を挟持して搬送する搬送ローラー対を備える記録装置が多く使用されている。しかしながら、搬送ローラー対を備える記録装置においては、搬送ローラー対を構成するローラーによりローラー痕が被記録媒体の記録面に付く場合があった。  
また、例えば、特許文献１及び特許文献２で開示される記録装置のように、搬送ローラー対以外の搬送部を備える記録装置が開示されている。
【先行技術文献】
【特許文献】
【０００３】
【特許文献１】特開２０１１−１６８３８９号公報
【特許文献２】特開２０１３−２０３５４４号公報
【発明の概要】
【発明が解決しようとする課題】
【０００４】
ここで、特許文献１及び特許文献２で開示される記録装置は、搬送ローラー対以外の搬送部が記録部よりも被記録媒体の搬送方向において下流側に設けられる構成である。しかしながら、このような構成の記録装置は被記録媒体の搬送精度が低下する場合があった。
【０００５】
そこで、本発明の目的は、被記録媒体の搬送精度の低下を抑制することである。
【課題を解決するための手段】
【０００６】
上記課題を解決するための本発明の第１の態様の記録装置は、被記録媒体を搬送する搬送部と、前記搬送部よりも前記被記録媒体の搬送方向において下流側に設けられ、前記被記録媒体に記録可能な記録部と、を備え、前記搬送部は、駆動ローラーと、前記駆動ローラーに向けて気体を送風可能であって前記搬送方向に複数並べられる送風部と、を有することを特徴とする。
【０００７】
本発明の第２の態様の記録装置は、前記第１の態様において、前記送風部は、前記駆動ローラーのローラー面に対して垂直方向に前記気体を送風可能であることを特徴とする。
【０００８】
本発明の第３の態様の記録装置は、前記第１又は第２の態様において、前記送風部は、前記駆動ローラーに対して接近する方向及び離間する方向に移動可能であることを特徴とする。
【０００９】
本発明の第４の態様の記録装置は、前記第３の態様において、前記送風部は、前記気体の送風方向を調整可能であることを特徴とする。
【００１０】
本発明の第５の態様の記録装置は、前記第１から第４のいずれか１つの態様において、前記搬送部よりも前記搬送方向において下流側に設けられ、前記被記録媒体を第１支持面で支持する第１媒体支持部を備え、前記駆動ローラーは、前記被記録媒体の搬送経路において前記第１媒体支持部側及び前記第１媒体支持部と対向する側のうちの前記第１媒体支持部側に設けられ、前記駆動ローラーのローラー面が前記第１支持面の上流側端部と面一である、又は、前記ローラー面の少なくとも一部が前記第１支持面の上流側端部に対して突出していることを特徴とする。
【００１１】
本発明の第６の態様の記録装置は、前記第１から第５のいずれか１つの態様において、前記搬送部よりも前記搬送方向において上流側に設けられ、前記被記録媒体を加熱する加熱部を備えることを特徴とする。
【００１２】
本発明の第７の態様の記録装置は、前記第６の態様において、前記被記録媒体の搬送経路における前記加熱部による加熱領域において、前記被記録媒体を第２支持面で支持する第２媒体支持部を備え、前記駆動ローラーは、前記被記録媒体の搬送経路において前記第２媒体支持部側及び前記第２媒体支持部と対向する側のうちの前記第２媒体支持部側に設けられ、前記駆動ローラーのローラー面が前記第２支持面の下流側端部と面一である、又は、前記ローラー面の少なくとも一部が前記第２支持面の下流側端部に対して突出していることを特徴とする。
【００１３】
本発明の第８の態様の記録装置は、前記第１から第７のいずれか１つの態様において、前記搬送部から搬送される前記搬送方向は、前記搬送部に向かって搬送される前記搬送方向に対して、前記駆動ローラーを起点に該駆動ローラーのローラー面に沿って変えられ、前記送風部は、前記搬送方向が変えられる位置に設けられることを特徴とする。
【００１４】
本発明の第９の態様の記録装置は、前記第１から第８のいずれか１つの態様において、前記搬送部は、前記送風部の風速を変更可能であることを特徴とする。
【発明の効果】
【００１５】
本発明によれば、被記録媒体の搬送精度の低下を抑制することが可能になる。
【図面の簡単な説明】
【００１６】
【図１】本発明の実施例１に係る記録装置を表す概略側面図。
【図２】本発明の実施例１に係る記録装置を表す概略平面図。
【図３】本発明の実施例１に係る記録装置の要部を表す概略側面図。
【図４】本発明の実施例１に係る記録装置のブロック図。
【図５】本発明の実施例２に係る記録装置を表す概略側面図。
【図６】本発明の実施例３に係る記録装置を表す概略側面図。
【発明を実施するための形態】
【００１７】
以下に、本発明の実施例に係る記録装置について、添付図面を参照して詳細に説明する。
【００１８】
［実施例１］（図１〜図４）  
図１は、本発明の実施例１に係る記録装置１を表す概略側面図である。  
また、図２は、本発明の実施例１に係る記録装置１を表す概略平面図である。  
また、図３は、本発明の実施例１に係る記録装置１の要部を表す概略側面図である。
【００１９】
図１で表されるように、本実施例の記録装置１は、被記録媒体Ｐを送出する送出部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、送出部１４から巻取部１５までが記録装置１における被記録媒体Ｐの搬送経路であり、プラテン２、プラテン３及びプラテン４は該搬送経路に設けられた被記録媒体Ｐの支持部である。なお、送出部１４は回転方向Ｃに回転して被記録媒体Ｐを送出し、巻取部１５は回転方向Ｃに回転して被記録媒体Ｐを巻き取る。
【００２０】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐの送出部１４として、例えば、所謂、給紙（給送）トレイ及び給紙（給送）カセットなどと呼ばれるものを使用してもよい。また、被記録媒体Ｐの回収部として、巻取部１５以外の回収部として、例えば、所謂、排出用受部、排紙（排出）トレイ及び排紙（排出）カセットなどと呼ばれるものを使用してもよい。
【００２１】
本実施例の記録装置１は、プラテン２とプラテン３の間に駆動ローラー５が設けられ、駆動ローラー５と対向する位置（上部）には送風ユニット１０が設けられている。そして、駆動ローラー５及び送風ユニット１０により、被記録媒体Ｐの搬送部９が構成されている。
【００２２】
また、送風ユニット１０は、ファン７、整圧室８、送風部１３ａ、１３ｂ及び１３ｃで構成されている。そして、送風部１３ａ、１３ｂ及び１３ｃは、各々が駆動ローラー５のローラー面に対して垂直方向に気体を送風可能であって、搬送方向Ａに並べられて配置されている。本実施例の記録装置１は、このような構成によって、送風部１３ａ、１３ｂ及び１３ｃの風圧により被記録媒体Ｐを駆動ローラー５に押し付けることができる。  
別の表現をすると、搬送部９は、被記録媒体Ｐの第１面１７（記録面に対する裏面）と接触可能に設けられ第１面１７に送り力を付与する駆動ローラー５と、駆動ローラー５と対向する位置に設けられ被記録媒体Ｐの第２面１６（記録面）に送風可能な送風ユニット１０と、を有している。そして、被記録媒体Ｐを、送風ユニット１０から送風される風圧により駆動ローラー５押し付けて搬送方向Ａに搬送する。  
ここで、被記録媒体Ｐを搬送方向Ａに搬送する際には、駆動ローラー５は回転方向Ｃに回転する。
【００２３】
なお、駆動ローラー５及び送風ユニット１０は、図２で表されるように、共に、搬送方向Ａと交差する方向Ｂに亘って設けられている。そして、図３で表されるように、送風ユニット１０は、送風部移動モーター３３（図４参照）によって、駆動ローラー５に対して接近する方向及び離間する方向である方向Ｄに移動可能である。
【００２４】
また、図１で表されるように、本実施例の駆動ローラー５は、被記録媒体Ｐの搬送経路において第１媒体支持部としてのプラテン３側（下側）に設けられ、該駆動ローラー５のローラー面の一部がプラテン３における被記録媒体Ｐの支持面である第１支持面３８の上流側端部３８ｅに対して突出している。このため、被記録媒体Ｐを駆動ローラー５に押し付け易くなっている。
【００２５】
なお、図３で表されるように、駆動ローラー５の回転軸の中心３４とプラテン３における搬送方向Ａの第１支持面３８の上流側端部３８ｅである外縁部３５とを結んだ直線３６を超えない範囲Ｒ１で被記録媒体Ｐを駆動ローラー５に押し付けられるよう調整しておくことが望ましい。このような構成とすることにより、被記録媒体Ｐを安定して搬送することができる。
【００２６】
また、本実施例の搬送部９は、ローラー対で被記録媒体Ｐを挟持することなく該被記録媒体Ｐを搬送するので、被記録媒体Ｐの搬送に伴うローラー痕の付着などの搬送不具合を抑制している。特に、被記録媒体Ｐの記録面側に従動ローラーの跡が付くことを防止できる構成になっている。
【００２７】
なお、本実施例では記録面が外側になるように巻かれているロール式の被記録媒体Ｐを使用しているので、被記録媒体Ｐを送出部１４から送出する際、送出部１４は回転軸を回転方向Ｃに回転する。一方、記録面が内側になるように巻かれているロール式の被記録媒体Ｐを使用する場合は、送出部１４は回転軸を回転方向Ｃとは逆回転して被記録媒体Ｐを送出することが可能である。  
そして、同様に、本実施例の巻取部１５は被記録媒体Ｐの記録面が外側になるように巻き取るので、巻取部１５は回転軸を回転方向Ｃに回転する。一方、記録面が内側になるように巻き取る場合は、巻取部１５は回転軸を回転方向Ｃとは逆回転して被記録媒体Ｐを巻き取ることが可能である。
【００２８】
また、本実施例の記録装置１のプラテン２にはヒーター６が設けられている。ヒーター６は、記録部としての記録ヘッド１２により記録を実行する前に被記録媒体Ｐを加熱（所謂プレ加熱）するために設けられている。  
なお、本実施例の記録装置１は、ヒーター６を用いて、被記録媒体Ｐの第１面１７側から被記録媒体Ｐをプレ加熱する構成となっている。しかしながら、例えば、被記録媒体Ｐの第２面１６側から赤外線を照射して被記録媒体Ｐを加熱可能なヒーターを用いて、第２面１６側から被記録媒体Ｐをプレ加熱する構成としてもよい。
【００２９】
また、図１で表されるように、本実施例の駆動ローラー５は、被記録媒体Ｐの搬送経路において第２媒体支持部としてのプラテン２側に設けられ、該駆動ローラー５のローラー面の一部がプラテン３における被記録媒体Ｐの支持面である第２支持面３９の下流側端部３９ｅに対して突出している。このため、被記録媒体Ｐを駆動ローラー５に押し付け易くなっている。
【００３０】
また、本実施例の記録装置１は、プラテン３と対向する側に記録部としての記録ヘッド１２が備えられている。記録装置１は、キャリッジ１１を介して交差方向Ｂに記録ヘッド１２を往復移動させながら、記録ヘッド１２のインク吐出面Ｆから被記録媒体Ｐにインクを吐出させて所望の画像を形成する。  
なお、本実施例の記録装置１は、往復移動しながら記録する記録ヘッド１２を備えているが、インクを吐出するノズルを交差方向Ｂに複数設けた所謂ラインヘッドを備える記録装置でもよい。  
ここで、「ラインヘッド」とは、被記録媒体Ｐの搬送方向Ａと交差する交差方向Ｂに形成されたノズルの領域が、被記録媒体Ｐの交差方向Ｂ全体をカバー可能なように設けられ、記録ヘッド及び被記録媒体を相対的に移動させて画像を形成する記録装置に用いられる記録ヘッドである。なお、ラインヘッドの交差方向Ｂのノズルの領域は、記録装置が対応している全ての被記録媒体Ｐの交差方向Ｂ全体をカバー可能でなくてもよい。
【００３１】
なお、図中の方向Ｘ及び方向Ｙは各々が直交する水平方向であり、方向Ｚは鉛直方向である。そして、本実施例の記録装置１においては、プラテン３上における被記録媒体Ｐの搬送方向Ａは方向Ｙに対応し、交差方向Ｂは方向Ｘに対応している。
【００３２】
次に、本実施例の記録装置１における電気的な構成について説明する。  
図４は、本実施例の記録装置１のブロック図である。  
制御部１８には、記録装置１の全体の制御を司るＣＰＵ１９が設けられている。ＣＰＵ１９は、システムバス２０を介して、ＣＰＵ１９が実行する各種制御プログラム等を格納したＲＯＭ２１と、データを一時的に格納可能なＲＡＭ２２と、接続されている。
【００３３】
また、ＣＰＵ１９は、システムバス２０を介して、記録ヘッド１２を駆動するためのヘッド駆動部２３と接続されている。  
また、ＣＰＵ１９は、システムバス２０を介して、キャリッジ１１を移動させるためのキャリッジモーター２５、送出部１４の駆動源である送出モーター２６、駆動ローラー５の駆動源である搬送モーター２７、巻取部１５の駆動源である巻取モーター２８、送風ユニット１０を方向Ｄに移動させる送風部移動モーター３３、を駆動させるためのモーター駆動部２４と接続されている。  
また、ＣＰＵ１９は、システムバス２０を介して、ファン７を駆動するためのファン駆動部３０と接続されている。  
また、ＣＰＵ１９は、システムバス２０を介して、ヒーター６を駆動するためのヒーター駆動部３３と接続されている。  
さらに、ＣＰＵ１９は、システムバス２０を介して、入出力部３１と接続されており、入出力部３１は、記録データ等を記録装置１に入力する外部装置であるＰＣ２９と接続されている。
【００３４】
上記のように、本実施例の記録装置１は、被記録媒体Ｐを搬送する搬送部９と、搬送部９よりも搬送方向Ａにおいて下流側に設けられ、被記録媒体Ｐに記録可能な記録ヘッド１２と、を備えている。  
そして、搬送部９は、駆動ローラー５と、各々が駆動ローラー５に向けて気体を送風可能であって搬送方向Ａに複数並べられる送風部１３ａ、１３ｂ及び１３ｃと、を有している。  
一般的に、搬送部９を記録ヘッド１２よりも搬送方向Ａにおいて上流側に設ける方が下流側に設けるよりも搬送精度が高くなる。ここで、本実施例の記録装置１は、搬送部９を記録ヘッド１２よりも搬送方向Ａにおいて上流側に設けている。そして、送風部１３ａ、１３ｂ及び１３ｃは搬送方向Ａに複数並べられている。このため、本実施例の記録装置１は、駆動ローラー５に被記録媒体Ｐを確りと押し付けることができ、被記録媒体Ｐの搬送精度の低下を抑制している。また、駆動ローラー５とピンチローラーによって被記録媒体Ｐを挟持していないため被記録媒体Ｐにローラー痕が付くことも防止できる。  
なお、本実施例の送風部１３ａ、１３ｂ及び１３ｃは、送風ユニット１０にまとめて設けられる構成であるが、送風部１３ａ、１３ｂ及び１３ｃを独立して設ける構成であってもよい。
【００３５】
また、上記のように、本実施例の送風部１３ａ、１３ｂ及び１３ｃは、駆動ローラー５のローラー面に対して垂直方向に気体を送風している。  
このため、本実施例の記録装置１は、駆動ローラー５に被記録媒体Ｐを確りと押し付けることができ、被記録媒体Ｐの搬送精度の低下を抑制している。
【００３６】
また、図３で表されるように送風ユニット１０を駆動ローラー５に対して接近する方向及び離間する方向である方向Ｄに移動させることにより、本実施例の送風部１３ａ、１３ｂ及び１３ｃは、方向Ｄに移動可能である。  
このため、本実施例の記録装置１は、被記録媒体Ｐの厚み等に対応して送風部１３ａ、１３ｂ及び１３ｃの方向Ｄにおける位置を変更することにより、駆動ローラー５に被記録媒体Ｐを確りと押し付けることができ、被記録媒体Ｐの搬送精度の低下を抑制することができる構成になっている。
【００３７】
また、本実施例の送風部１３ａ、１３ｂ及び１３ｃは、各々、気体の送風方向を調整可能である。  
このため、本実施例の記録装置１は、被記録媒体Ｐの厚み等に対応して送風部１３ａ、１３ｂ及び１３ｃの方向Ｄにおける位置を変更した場合であっても、気体の送風方向を調整することにより、駆動ローラー５に被記録媒体Ｐを確りと押し付けることができ、被記録媒体Ｐの搬送精度の低下を抑制することができる構成になっている。
【００３８】
また、図１及び図３で表されるように、本実施例の駆動ローラー５は、被記録媒体Ｐの搬送経路においてプラテン３側及びプラテン３と対向する側のうちのプラテン３側に設けられ、該駆動ローラー５のローラー面の一部がプラテン３における被記録媒体Ｐの支持面である第１支持面３８の上流側端部３８ｅに対して突出している。このため、被記録媒体Ｐを駆動ローラー５に押し付け易く、被記録媒体Ｐの搬送精度の低下を抑制することができる構成となっている。  
ただし、駆動ローラー５のローラー面が第１支持面３８の上流側端部３８ｅと面一であっても、被記録媒体Ｐを駆動ローラー５に押し付け易く、被記録媒体Ｐの搬送精度の低下を抑制することができる。  
ここで、「駆動ローラー５のローラー面が第１支持面３８の上流側端部３８ｅと面一」とは、駆動ローラー５のローラー面における第１支持面３８と交差する方向における頂上部分が、上流側端部３８ｅと略面一であることを意味する。
【００３９】
また、上記のように、本実施例の記録装置１は、搬送部９よりも搬送方向Ａにおいて上流側に、被記録媒体Ｐを加熱する加熱部としてのヒーター６を備えている。  
このため、本実施例の記録装置１は、ヒーター６により被記録媒体６を加熱して軟らかくして搬送部９に該被記録媒体Ｐを送出することができる。したがって、軟らかくなった被記録媒体Ｐを駆動ローラー５に確りと押し付けることができ、被記録媒体Ｐの搬送精度の低下を抑制することができる構成になっている。
【００４０】
また、図１及び図３で表されるように、本実施例の記録装置１は、被記録媒体Ｐの搬送経路におけるヒーター６による加熱領域において、被記録媒体Ｐを第２支持面３９で支持するプラテン２を備えている。そして、駆動ローラー５は、被記録媒体Ｐの搬送経路においてプラテン２側及びプラテン２と対向する側のうちのプラテン２側に設けられ、該駆動ローラー５の一部がプラテン２における被記録媒体Ｐの支持面である第２支持面３９の下流側端部３９ｅに対して突出している。このため、被記録媒体Ｐを駆動ローラー５に押し付け易く、被記録媒体Ｐの搬送精度の低下を抑制することができる構成となっている。  
ただし、駆動ローラー５のローラー面が第２支持面３９の下流側端部３９ｅと面一であっても、被記録媒体Ｐを駆動ローラー５に押し付け易く、被記録媒体Ｐの搬送精度の低下を抑制することができる。  
ここで、「駆動ローラー５のローラー面が第２支持面３９の下流側端部３９ｅと面一」とは、駆動ローラー５のローラー面における第２支持面３９と交差する方向における頂上部分が、下流側端部３９ｅと略面一であることを意味する。
【００４１】
また、本実施例の搬送部９は、制御部１８の制御により、送風部１３ａ、１３ｂ及び１３ｃの風速を変更可能である。  
このため、本実施例の記録装置１は、被記録媒体Ｐの厚み等に対応して、送風部１３ａ、１３ｂ及び１３ｃの風速を変更することにより、駆動ローラー５に被記録媒体Ｐを確りと押し付けることができ、被記録媒体Ｐの搬送精度の低下を抑制することができる構成になっている。
【００４２】
［実施例２］（図５）  
次に、実施例２の記録装置について、添付図面を参照して詳細に説明する。  
図５は、本実施例の記録装置１の概略側面図を表している。なお、上記実施例と共通する構成部材は同じ符号で示しており、詳細な説明は省略する。  
なお、本実施例の記録装置１は、プラテン３の形状以外は実施例１の記録装置１と同様の構成である。
【００４３】
図５で表されるように、本実施例の記録装置１は、プラテン３の第１支持面３８の搬送方向Ａにおける上流側端部に斜面部４０が形成されている。このため、被記録媒体Ｐがプラテン３に対して引っ掛かりにくくなっている。  
なお、本実施例の記録装置１も実施例１の記録装置１と同様、駆動ローラー５は、被記録媒体Ｐの搬送経路においてプラテン３側に設けられ、該駆動ローラー５のローラー面の一部がプラテン３における被記録媒体Ｐの支持面である第１支持面３８の上流側端部３８ｅに対して突出している。このため、被記録媒体Ｐを駆動ローラー５に押し付け易く、被記録媒体Ｐの搬送精度の低下を抑制することができる構成になっている。
【００４４】
［実施例３］（図６）  
次に、実施例３の記録装置について、添付図面を参照して詳細に説明する。  
図６は、本実施例の記録装置１の概略側面図を表している。なお、上記実施例と共通する構成部材は同じ符号で示しており、詳細な説明は省略する。  
なお、本実施例の記録装置１は、プラテン２を備えておらず被記録媒体Ｐの搬送方向が異なること及びこれに伴い送風ユニット１０の配置が異なること以外は実施例１の記録装置１と同様の構成である。
【００４５】
図６で表される本実施例の記録装置１は、プラテン２を備えておらず、被記録媒体Ｐの搬送方向と送風ユニット１０の配置が、図１で表される実施例１の記録装置１とは異なっている。  
そして、本実施例の記録装置１は、被記録媒体Ｐの搬送方向Ａのうちの搬送部９から搬送される搬送方向Ａ２は、搬送部９に向かって搬送される搬送方向Ａ１に対して、駆動ローラー５を起点に該駆動ローラー５のローラー面に沿って変えられており、送風部１３ａ、１３ｂ及び１３ｃは搬送方向が変えられる位置に設けられている。  
すなわち、搬送部９における被記録媒体Ｐの駆動ローラー５に対する接触面積は広くなり、広い接触面積で駆動ローラー５に被記録媒体Ｐを押し付けることができる。このため、例えば、駆動ローラー５のローラー面の一部をプラテン３における被記録媒体Ｐの支持面である第１支持面３８の上流側端部３８ｅに対して突出させなくても、本実施例の記録装置１は、駆動ローラー５に被記録媒体Ｐを確りと押し付けることができる。そして、被記録媒体Ｐの搬送精度の低下を抑制することができる構成になっている。
【００４６】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４７】
本発明の第１の態様の記録装置１は、被記録媒体Ｐを搬送する搬送部９と、搬送部９よりも被記録媒体Ｐの搬送方向Ａにおいて下流側に設けられ、被記録媒体Ｐに記録可能な記録部１２と、を備え、搬送部９は、駆動ローラー５と、駆動ローラー５に向けて気体を送風可能であって搬送方向Ａに複数並べられる送風部１３ａ、１３ｂ及び１３ｃと、を有することを特徴とする。
【００４８】
一般的に、搬送部９を記録部１２よりも被記録媒体Ｐの搬送方向Ａにおいて上流側に設ける方が下流側に設けるよりも搬送精度が高くなる。本態様によれば、搬送部９を記録部１２よりも被記録媒体Ｐの搬送方向Ａにおいて上流側に設ける。そして、送風部１３ａ、１３ｂ及び１３ｃは搬送方向Ａに複数並べられ、駆動ローラー５に被記録媒体Ｐを確りと押し付けることができる。例えば、被記録媒体Ｐとして、ポリエチレン（ＰＥ）、ポリエチレンテレフタレート（ＰＥＴ）、ポリ塩化ビニル（ＰＶＣ）、ポリカーボネート（ＰＣ）、ＡＢＳ樹脂、等のプラスチックフイルム、上質紙、コート紙、ラミネート紙等の紙材材質が挙げられる。従って、記録装置１にて記録する被記録媒体Ｐは、材質、被記録媒体Ｐの裏面における凹凸によって摩擦係数が異なり、また、柔らかい材質だけではなく剛性の高い材質などを搬送する場合がある。そのため、駆動ローラー５表面と被記録媒体Ｐとの接触面積を大きくするために、送風部１３ａ、１３ｂ及び１３ｃを搬送方向Ａに複数並べ、送風部からの送風により被記録媒体Ｐを変形させ、駆動ローラー５に押し付けることができる。このため、被記録媒体Ｐの搬送精度の低下を抑制することができる。
【００４９】
本発明の第２の態様の記録装置１は、前記第１の態様において、送風部１３ａ、１３ｂ及び１３ｃは、駆動ローラー５のローラー面に対して垂直方向に前記気体を送風可能であることを特徴とする。
【００５０】
本態様によれば、送風部１３ａ、１３ｂ及び１３ｃは、駆動ローラー５のローラー面に対して垂直方向に前記気体を送風可能である。このため、駆動ローラー５に被記録媒体Ｐを確りと押し付けることができ、被記録媒体Ｐの搬送精度の低下を抑制することができる。
【００５１】
本発明の第３の態様の記録装置１は、前記第１又は第２の態様において、送風部１３ａ、１３ｂ及び１３ｃは、駆動ローラー５に対して接近する方向及び離間する方向に移動可能であることを特徴とする。
【００５２】
本態様によれば、送風部１３ａ、１３ｂ及び１３ｃは、駆動ローラー５に対して接近する方向及び離間する方向に移動可能である。このため、被記録媒体Ｐの厚み等に対応して送風部１３ａ、１３ｂ及び１３ｃの位置を変更することにより、駆動ローラー５に被記録媒体Ｐを確りと押し付けることができる。このため、被記録媒体Ｐの搬送精度の低下を抑制することができる。
【００５３】
本発明の第４の態様の記録装置１は、前記第３の態様において、送風部１３ａ、１３ｂ及び１３ｃは、前記気体の送風方向を調整可能であることを特徴とする。
【００５４】
本態様によれば、送風部１３ａ、１３ｂ及び１３ｃは、前記気体の送風方向を調整可能である。このため、被記録媒体Ｐの厚み等に対応して送風部１３ａ、１３ｂ及び１３ｃの位置を変更した場合であっても、前記気体の送風方向を調整することにより、駆動ローラー５に被記録媒体Ｐを確りと押し付けることができる。このため、被記録媒体Ｐの搬送精度の低下を抑制することができる。
【００５５】
本発明の第５の態様の記録装置１は、前記第１から第４のいずれか１つの態様において、搬送部１３ａ、１３ｂ及び１３ｃよりも搬送方向Ａにおいて下流側に設けられ、被記録媒体Ｐを第１支持面３８で支持する第１媒体支持部３を備え、駆動ローラー５は、被記録媒体Ｐの搬送経路において第１媒体支持部３側及び第１媒体支持部３と対向する側のうちの第１媒体支持部３側に設けられ、駆動ローラー５のローラー面が第１支持面３８の上流側端部３８ｅと面一である、又は、前記ローラー面の少なくとも一部が第１支持面３８の上流側端部３８ｅに対して突出していることを特徴とする。
【００５６】
本態様によれば、駆動ローラー５は、駆動ローラー５のローラー面が第１支持面３８の上流側端部３８ｅと面一である、又は、前記ローラー面の少なくとも一部が第１支持面３８の上流側端部３８ｅに対して突出している。このため、駆動ローラー５に被記録媒体Ｐを確りと押し付けることができ、被記録媒体Ｐの搬送精度の低下を抑制することができる。  
ここで、「駆動ローラー５のローラー面が第１支持面３８の上流側端部３８ｅと面一」とは、駆動ローラー５のローラー面における第１支持面３８と交差する方向における頂上部分が、上流側端部３８ｅと略面一であることを意味する。
【００５７】
本発明の第６の態様の記録装置１は、前記第１から第５のいずれか１つの態様において、搬送部９よりも搬送方向Ａにおいて上流側に設けられ、被記録媒体Ｐを加熱する加熱部６を備えることを特徴とする。
【００５８】
本態様によれば、加熱部６を搬送部９よりも搬送方向Ａにおいて上流側に備える。このため、加熱部６により被記録媒体Ｐを加熱して軟らかくして搬送部９に該被記録媒体を送出することができる。したがって、軟らかくなった被記録媒体Ｐを駆動ローラー５に確りと押し付けることができ、被記録媒体Ｐの搬送精度の低下を抑制することができる。
【００５９】
本発明の第７の態様の記録装置１は、前記第６の態様において、被記録媒体Ｐの搬送経路における加熱部６による加熱領域において、被記録媒体Ｐを第２支持面３９で支持する第２媒体支持部２を備え、駆動ローラー５は、被記録媒体Ｐの搬送経路において第２媒体支持部２側及び第２媒体支持部２と対向する側のうちの第２媒体支持部２側に設けられ、駆動ローラー５のローラー面が第２支持面３９の下流側端部３９ｅと面一である、又は、前記ローラー面の少なくとも一部が第２支持面３９の下流側端部３９ｅに対して突出していることを特徴とする。
【００６０】
本態様によれば、駆動ローラー５は、駆動ローラー５のローラー面が第２支持面３９の下流側端部３９ｅと面一である、又は、前記ローラー面の少なくとも一部が第２支持面３９の下流側端部に対して突出している。このため、駆動ローラー５に被記録媒体Ｐを確りと押し付けることができ、被記録媒体Ｐの搬送精度の低下を抑制することができる。  
ここで、「駆動ローラー５のローラー面が第２支持面３９の下流側端部３９ｅと面一」とは、駆動ローラー５のローラー面における第２支持面３９と交差する方向における頂上部分が、下流側端部３９ｅと略面一であることを意味する。
【００６１】
本発明の第８の態様の記録装置１は、前記第１から第７のいずれか１つの態様において、搬送部９から搬送される搬送方向Ａ２は、搬送部９に向かって搬送される搬送方向Ａ１に対して、駆動ローラー５を起点に該駆動ローラー５のローラー面に沿って変えられ、送風部１３ａ、１３ｂ及び１３ｃは、搬送方向が変えられる位置に設けられることを特徴とする。
【００６２】
本態様によれば、搬送部９から搬送される搬送方向Ａ２は、搬送部９に向かって搬送される搬送方向Ａ１に対して、駆動ローラー５を起点に該駆動ローラー５のローラー面に沿って変えられ、送風部１３ａ、１３ｂ及び１３ｃは、搬送方向が変えられる位置に設けられる。すなわち、搬送部９における被記録媒体Ｐの駆動ローラー５に対する接触面積は広くなり、広い接触面積で駆動ローラー５に被記録媒体Ｐを押し付けることができる。このため、駆動ローラー５に被記録媒体Ｐを確りと押し付けることができ、被記録媒体Ｐの搬送精度の低下を抑制することができる。
【００６３】
本発明の第９の態様の記録装置１は、前記第１から第８のいずれか１つの態様において、搬送部９は、送風部１３ａ、１３ｂ及び１３ｃの風速を変更可能であることを特徴とする。
【００６４】
本態様によれば、搬送部９は、送風部１３ａ、１３ｂ及び１３ｃの風速を変更可能である。このため、被記録媒体Ｐの厚み等に対応して、送風部１３ａ、１３ｂ及び１３ｃの風速を変更することにより、駆動ローラー５に被記録媒体Ｐを確りと押し付けることができる。このため、被記録媒体Ｐの搬送精度の低下を抑制することができる。
【符号の説明】
【００６５】
１  記録装置、２  プラテン（第２媒体支持部）、３  プラテン（第３媒体支持部）、
４  プラテン、５  駆動ローラー、７  ファン、８  整圧室、９  搬送部、
１０  送風ユニット、１１  キャリッジ、１２  記録ヘッド（記録部）、
１３ａ  送風部、１３ｂ  送風部、１３ｃ  送風部、１４  送出部、１５  巻取部、
１６  被記録媒体Ｐの第２面、１７  被記録媒体Ｐの第１面、１８  制御部、
１９  ＣＰＵ、２０  システムバス、２１  ＲＯＭ、２２  ＲＡＭ、
２３  ヘッド駆動部、２４  モーター駆動部、２５  キャリッジモーター、
２６  送出モーター、２７  搬送モーター、２８  巻取モーター、２９  ＰＣ、
３０  ファン駆動部、３１  入出力部、３３  送風部移動モーター、
３４  駆動ローラー５の回転軸、３５  第１支持面３８の上流側端部側の外縁部、
３６  回転軸３４と外縁部３５とを結んだ直線、３８  第１支持面、
３８ｅ  第１支持面３８の上流側端部、３９  第２支持面、
３９ｅ  第２支持面３２の下流側端部、４０  斜面部、Ｐ  被記録媒体
【図１】
2015196583.tif 000003
【図２】
2015196583.tif 000004
【図３】
2015196583.tif 000005
【図４】
2015196583.tif 000006
【図５】
2015196583.tif 000007
【図６】
2015196583.tif 000008